(57)【要約】【課題】天井面を一層明るくして照射空間の明るさ感を増すことのできる照明器具を提供する。【解決手段】被取付面１１に取付けられる器具本体２０の直管蛍光灯２１の長手方向に沿った側壁２２をプリズム部材としたので、照明器具１０の側面が光り、アイキャッチ効果が生まれる。また、器具本体２０の被取付面１１側の天板２３に光を透過させる光透過部２６を設けたので、プリズム部材２２から配光される光とともに被取付面１１を照射するので、被取付面１１が明るくなって、室内等の照明空間の明るさ感が向上する。【選択図】  図３
2010205422.tif 000002
【特許請求の範囲】
【請求項１】
直管蛍光灯と、
前記直管蛍光灯を収容して被取付面に取付けられる器具本体と、を有する照明器具であって、
前記器具本体は、前記直管蛍光灯の長手方向に沿った側壁をプリズム構造とするとともに、前記被取付面側の天板に光を透過させる光透過部を有することを特徴とする照明器具。
【請求項２】
前記器具本体は、前記直管蛍光灯からの光を前記被取付面側へ反射する反射面を有することを特徴とする請求項１記載の照明器具。
【請求項３】
前記反射面が、反射光を前記直管蛍光灯による通常の照射領域の外側まで照射することを特徴とする請求項２記載の照明器具。
【請求項４】
前記プリズム構造が、前記被取付面側へ光を照射する出射面を有することを特徴とする請求項１ないし請求項３のいずれかに記載の照明器具。
【発明の詳細な説明】
【技術分野】
【０００１】
本発明は、直管蛍光灯を用い、天井面に取付けて室内等を照明する照明器具に関するものである。
【背景技術】
【０００２】
従来より、直管の蛍光灯を収納する器具本体にプリズムを用いた照明器具が提案されている（例えば特許文献１参照）。
【０００３】
図１１に示すように、特許文献１に記載の照明器具１００は、光源として直管の蛍光灯１０１を有し、蛍光灯１０１を収容する矩形状の器具本体１０２を有する。蛍光灯１０１は器具本体１０２の左右両端部付近に配設されており、側壁１０３、下板１０４、傾斜板１０５によって、囲まれている。側壁１０３は透光性部材によりプリズムが形成されている。また、左右の蛍光灯１０１、１０１の間には、下方へ向かって山型の反射板１０６を有する。
【０００４】
従って、蛍光灯１０１から主に下方へ照射された光は、下板１０４あるいは傾斜板１０５を透過して下方へ照射される。また、器具本体１０２の内側へ照射された光は反射板１０６で反射して、照射口１０７から下方へ照射される。また、蛍光灯１０１から水平方向外側へ照射された光は直接、あるいは蛍光灯１０１から上方へ照射された光は反射板１０６で反射して、側壁１０３を通過する。
【０００５】
そして、側壁１０３を通る際に、側壁１０３に形成されたプリズムを通過し、このとき水平方向の光を上向きに９０°以上屈折させて、天井面へ照射する。これにより、天井面が適度に照明され、部屋全体を快適な状態とする。
【先行技術文献】
【特許文献】
【０００６】
【特許文献１】特開昭６０−１７５３０５号公報（第４図）
【発明の概要】
【発明が解決しようとする課題】
【０００７】
しかしながら、前述したような特許文献１に記載の照明器１００においては、蛍光灯１０１の真上および内側（左右の蛍光灯１０１、１０１の間）上方へ照射された光は反射板１０６で下方へ反射されるので、天井面への照射量が少なく改良する余地があるという問題があった。
【０００８】
本発明は、従来の問題を解決するためになされたもので、天井面を一層明るくして照射空間の明るさ感を増すことのできる照明器具を提供することを目的とする。
【課題を解決するための手段】
【０００９】
本発明の照明器具は、直管蛍光灯と、前記直管蛍光灯を収容して被取付面に取付けられる器具本体と、を有する照明器具であって、前記器具本体は、前記直管蛍光灯の長手方向に沿った側壁をプリズム構造とするとともに、前記被取付面側の天板に光を透過させる光透過部を有している。
【００１０】
この構成により、被取付面に取付けられる器具本体の蛍光灯の長手方向に沿った側壁をプリズム構造としたので、照明器具の側面が光り、アイキャッチ効果が生まれる。また、器具本体の被取付面側の天板に光を透過させる光透過部を設けたので、プリズム部材から配光される光とともに光透過部を透過した光が被取付面を照射する。これにより、被取付面が明るくなって、室内等の照明空間の明るさ感が向上する。
【００１１】
また、本発明の照明器具は、前記器具本体は、前記直管蛍光灯からの光を前記被取付面側へ反射する反射面を有している。
【００１２】
この構成により、器具本体に設けられた反射面が、直管蛍光灯からの光を被取付面側へ反射するので、被取付面が明るくなって、室内等の照明空間の明るさ感が向上する。
【００１３】
また、本発明の照明器具は、前記反射面が、反射光を前記直管蛍光灯による通常の照射領域の外側まで照射する構成を有している。
【００１４】
この構成により、反射面で反射された光は、直管蛍光灯による通常の照射領域の外側まで照射されるので、室内等の照明空間の明るさ感が向上する。
【００１５】
さらに、本発明の照明器具は、前記プリズム構造が、前記被取付面側へ光を照射する出射面を有している。
【００１６】
この構成により、器具本体の側壁に設けられたプリズム構造が、被取付面側へ光を照射する出射面を有しているので、被取付面が明るくなって、室内等の照明空間の明るさ感が向上する。
【発明の効果】
【００１７】
本発明は、被取付面に取付けられる器具本体の蛍光灯の長手方向に沿った側壁をプリズム構造としたので、照明器具の側面が光り、アイキャッチ効果が生まれる。また、器具本体の被取付面側の天板に光を透過させる光透過部を設けたので、プリズム構造から配光される光とともに光透過部を透過した光が被取付面を照射し、被取付面が明るくなって、室内等の照明空間の明るさ感が向上するという効果を有する照明器具を提供することができるものである。
【図面の簡単な説明】
【００１８】
【図１】（Ａ）は本発明の第１実施形態にかかる照明器具の側面図、（Ｂ）照明器具（Ａ）中Ｂ方向から見た端面図、（Ｃ）は（Ａ）中Ｃ方向から見た下面図
【図２】照明器具の拡大断面図およびプリズム構造の拡大断面図
【図３】光の方向を示す断面図
【図４】（Ａ）は本発明の第２実施形態にかかる照明器具の側面図、（Ｂ）照明器具（Ａ）中Ｂ方向から見た端面図、（Ｃ）は（Ａ）中Ｃ方向から見た下面図
【図５】照明器具の拡大断面図およびプリズム構造の拡大断面図
【図６】光の方向を示す断面図
【図７】第２実施形態にかかる照明器具による配光特性を示すグラフ
【図８】（Ａ）は本発明の第３実施形態にかかる照明器具の側面図、（Ｂ）照明器具（Ａ）中Ｂ方向から見た端面図、（Ｃ）は（Ａ）中Ｃ方向から見た下面図
【図９】照明器具の拡大断面図およびプリズム構造の拡大断面図
【図１０】光の方向を示す断面図
【図１１】従来の照明器具を示す斜視図
【発明を実施するための形態】
【００１９】
（第１実施形態）
以下、本発明の第１実施形態の照明器具について、図面を用いて説明する。
図１（Ａ）は本発明の第１実施形態にかかる照明器具の側面図、図１（Ｂ）照明器具（Ａ）中Ｂ方向から見た端面図、図１（Ｃ）は（Ａ）中Ｃ方向から見た下面図、図２は照明器具の拡大断面図およびプリズム構造の拡大断面図、図３は光の方向を示す断面図である。
【００２０】
図１および図２に示すように、本発明にかかる照明器具１０は、被取付面である天井面１１に取付けられる器具本体２０を有し、天井面１１に取付けて室内等を照明するのに用いることができる。
【００２１】
器具本体２０は、光源である直管蛍光灯２１（以後、「蛍光灯２１」という。）を収容する蛍光灯収容部２０１と、蛍光灯収容部２０１の上側に設けられて点灯装置等の電気器具を収容する器具収容部２０２とを有し、器具収容部２０２が天井面１１に取付けられる。器具収容部２０２は、蛍光灯収容部２０１の上部にネジ２０３で固定される。
【００２２】
器具本体２０の蛍光灯収容部２０１は下面が開口した全体矩形箱状を呈しており、蛍光灯２１の長手方向に沿ったプリズム構造を有する側壁２２と、蛍光灯２１の上方に設けられている天板２３と、長手方向両端の端板２４を有する。天板２３の長手方向両端部には、蛍光灯２１を着脱可能に保持して、点灯のための電力を供給するソケット２３２がそれぞれ取付けられている。なお、器具本体２０の開口を透明のカバー部材で覆うことができるが、以下においては、カバー部材については説明を省略する。
【００２３】
また、２本の蛍光灯２１、２１の間には、下に向かって山型をなす一対の反射面２５１、２５１を有する反射板２５が設けられている。反射板２５１は、天板２３に取付けられている取付板２３１にネジ２５２で取付けられる（図２参照）。反射面２５１は、例えば、白色に塗装されており、光を効率よく反射するようになっている。
【００２４】
器具本体２０の側壁２２は、ネジ２２６によって天板２３に固定されており、プリズム構造を有する。すなわち、図２に示すように、側壁２２は、例えば、透明アクリル材のような透明部材により内部空間２２４を有する逆三角形状に形成されており、縦板２２１、上部横板２２２、斜め板２２３を有する。そして、縦板２２１の内面には多数の三角柱２２５が形成されており、プリズム構造をなす。
【００２５】
器具本体２０の天板２３には、光を透過させる光透過部２６が設けられている。光透過部２６は、天板２３を切り欠いた開口部とすることができる。
【００２６】
また、器具本体２０の器具収容部２０２の外面は、例えば、鋼板を白色で塗装して、蛍光灯２１からの光を天井面１１側へ反射する上部反射面（反射面）２７となっている。上部反射面２７による反射光は、蛍光灯２１と上部反射面２７との位置関係および上部反射面２７の傾きによって照射方向が決定される。
【００２７】
次に、本発明にかかる照明器具１０の照射光の照射方向について説明する。
図３に示すように、蛍光灯２１から下方へ照射された光は、直接下方へ照射される（図３中矢印Ａ）。
蛍光灯２１から器具本体２０の中央側へ照射された光は、器具本体２０の反射板２５の反射面２５１に当たって、主に下方へ照射される（図３中矢印Ｂ）。
蛍光灯２１から器具本体２０の外側へ照射された光は、側壁２２を通って左右両側へ照射される（図３中矢印Ｃ）。このとき、光の一部は、側壁２２の縦板２２１の三角柱２２５のプリズム作用によって乱反射して、上方または下方へ向きを変える。
【００２８】
また、蛍光灯２１から上方へ照射された光は、天板２３の光透過部２６を通って天井面１１を照射する（図３中矢印Ｄ）。また、上方へ照射され、光透過部２６を通って器具収容部２０２側へ向かった光は、器具収容部２０２の外面である上部反射面２７で反射して、天井面１１へ照射される（図３中矢印Ｅ）。天井面１１で反射した光は、下方へ反射して照明空間を照らす。
【００２９】
以上、説明した本発明の第１実施形態にかかる照明器具１０によれば、天井面１１に取付けられる器具本体２０の蛍光灯２１の長手方向に沿った側壁２２にプリズム構造を有する縦板２２１を設けたので、照明器具１０の側面が光り、アイキャッチ効果が生まれる。また、器具本体２０の天井面１１側の天板２３に光を透過させる光透過部２６を設けたので、側壁２２から配光される光とともに光透過部２６を通過した光が天井面１１を照射し、天井面１１が明るくなって、室内等の照明空間の明るさ感が向上する。
【００３０】
また、器具本体２０に設けられた上部反射面２７が、蛍光灯２１からの光を天井面１１側へ反射するので、天井面１１が明るくなって、室内等の照明空間の明るさ感が向上する。
【００３１】
（第２実施形態）
次に、本発明の第２実施形態の照明器具について、図面を用いて説明する。
図４（Ａ）は本発明の第２実施形態にかかる照明器具の側面図、図４（Ｂ）照明器具（Ａ）中Ｂ方向から見た端面図、図４（Ｃ）は（Ａ）中Ｃ方向から見た下面図、図５は照明器具の拡大断面図およびプリズムの拡大断面図、図６は光の方向を示す断面図、図７は第２実施形態にかかる照明器具による配光特性を示すグラフである。なお、前述した第１実施形態にかかる照明器具１０と共通する部位には同じ符号を付して、重複する説明を省略することとする。
【００３２】
図４〜図６に示す照明器具１０Ｂでは、上部反射面２７Ｂの幅を広げて、蛍光灯２１の投影領域と略同じ幅とした。また、器具本体２０の天板２３Ｂを光透過性の材料で形成し、光透過部２６Ｂとした。
【００３３】
また、器具本体２０の側壁２２Ｂにおいて、縦板２２１のみならず、上横板２２２Ｂおよび斜め板２２３Ｂにも、前述した縦板２２１と同様の三角柱２２５を設けてプリズム構造とした。なお、天板２３Ｂを光透過性の樹脂で形成するようにしたので、側壁２２を天板２３ｂと一体成型により形成することができる。
【００３４】
次に、本発明にかかる照明器具１０Ｂの照射光の照射方向について説明する。なお、蛍光灯２１から下方へ照射される光（図３中矢印Ａ）および反射板２５で反射して下方へ照射される光（図３中矢印Ｂ）は同様なので、図示および説明を省略する。
【００３５】
蛍光灯２１から器具本体２０の外側へ照射された光は、側壁２２を通り縦板２２１で乱反射して照射される（図６中矢印Ｃ）。このとき、斜め板２２３Ｂの三角柱２２５によって光の一部は上方へ照射され、上横板２２２Ｂに入射する。この光は、上横板２２２Ｂの三角柱２２５によって乱反射して上方へ照射される（図６中矢印Ｃ１）。
【００３６】
また、蛍光灯２１から上方外側へ照射された光は、光透過部２６Ｂである天板２３Ｂを通って天井面１１を照射する（図６中矢印Ｄ）。また、真上および上方内側へ照射された光は、光透過部２６Ｂを通って器具収容部２０２の外面である上部反射面２７で反射して、天井面１１へ照射される（図６中矢印Ｅ）。天井面１１で反射した光は、下方へ反射して照明空間を照らす。
【００３７】
以上、説明した本発明の第２実施形態にかかる照明器具１０Ｂによれば、前述した第１実施形態にかかる照明器具１０と同様に、室内等の照明空間の明るさ感が向上する。
また、天板２３Ｂを光透過性の材料で形成したので、天井面１１を一層明るく照らすことができ、室内等の照明空間の明るさ感が一層向上する。さらに、器具本体２０Ｂの側壁２２Ｂの上横板２２２Ｂおよび斜め板２２３もプリズム構造としたので、天井面１１側への光を増して、室内等の照明空間の明るさ感が一層向上する。
すなわち、図７に示すように、上方光および下方光ともに蛍光灯２１と平行な方向に、より外側へ配光されていることがわかる。
【００３８】
（第３実施形態）
次に、本発明の第３実施形態の照明器具について、図面を用いて説明する。
図８（Ａ）は本発明の第３実施形態にかかる照明器具の側面図、図８（Ｂ）照明器具（Ａ）中Ｂ方向から見た端面図、図８（Ｃ）は（Ａ）中Ｃ方向から見た下面図、図９は照明器具の拡大断面図およびプリズムの拡大断面図、図１０は光の方向を示す断面図である。なお、前述した第１実施形態および第２実施形態にかかる照明器具１０、１０Ｂと共通する部位には同じ符号を付して、重複する説明を省略することとする。
【００３９】
図８〜図１０に示す照明器具１０Ｂでは、上部反射面２７Ｃによる反射光が、蛍光灯２１の通常の照射範囲よりも外側まで照射されるように、上部反射面２７Ｃの傾斜角度を設定するとともに、上部反射面２７Ｃの形状を、凹面鏡形状とした。上部反射面２７Ｃは、バネ状の板部材の一端を器具収容部２０２に固定し、他端をバネ力により天井面１１に押し付けるようにして、ガタつきなく取付けることができる。
また、器具本体２０の天板２３Ｃを光透過性の材料で形成するとともに内面をプリズム構造とし、光透過部２６Ｃとした。
【００４０】
なお、器具本体２０の側壁２２Ｃは、前述した第２実施形態における側壁２２Ｂと同様のプリズム構造とした。
【００４１】
次に、本発明にかかる照明器具１０Ｃの照射光の照射方向について説明する。なお、蛍光灯２１から下方へ照射される光（図３中矢印Ａ）および反射板２５で反射して下方へ照射される光（図３中矢印Ｂ）は第１実施形態にかかる照明器具１０同様なので、図示および説明を省略する。また、蛍光灯２１から器具本体２０の外側へ照射された光は、第２実施形態にかかる照明器具１０Ｂと同様なので、図示および説明を省略する。
【００４２】
図１０に示すように、蛍光灯２１から上方外側へ照射された光は、プリズム構造を有する光透過部２６Ｃである天板２３Ｃを通って乱反射し、上部反射面２７Ｃに照射される。上部反射面２７Ｃで反射した光は、蛍光灯２１の通常の照射範囲よりも外側を照射する（図１０中矢印Ｆ）。
【００４３】
以上、説明した本発明の第３実施形態にかかる照明器具１０Ｃによれば、前述した第１実施形態および第２実施形態にかかる照明器具１０、１０Ｂと同様に、室内等の照明空間の明るさ感が向上する。
また、上部反射面２７Ｃで反射された光は、蛍光灯２１による通常の照射領域の外側まで照射されるので、天井面１１が広く明るく照明されるとともに、室内等の照明空間の明るさ感が向上する。
また、天板２３Ｃを光透過性の材料でプリズム構造に形成したので、天井面１１を一層明るく照らすことができ、室内等の照明空間の明るさ感が一層向上する。また、天板２３Ｃの内面をプリズム構造としたので、天井面１１から溜まった埃が目立ちにくくなるとともに、外面は平坦なので容易に清掃することができる。
【００４４】
なお、本発明の照明器具は、前述した各実施形態に限定されるものでなく、適宜な変形，改良等が可能である。
【符号の説明】
【００４５】
１０  照明器具
１１  天井面（被取付面）
２０  器具本体
２１  直管蛍光灯
２２  側壁（プリズム部材）
２２２  上横板（出射面）
２３  天板
２６  光透過部
２７  上部反射面（反射面）
【図１】
2010205422.tif 000003
【図２】
2010205422.tif 000004
【図３】
2010205422.tif 000005
【図４】
2010205422.tif 000006
【図５】
2010205422.tif 000007
【図６】
2010205422.tif 000008
【図７】
2010205422.tif 000009
【図８】
2010205422.tif 000010
【図９】
2010205422.tif 000011
【図１０】
2010205422.tif 000012
【図１１】
2010205422.tif 000013